(57)【特許請求の範囲】
【請求項１】
仮設架台上で、コンクリート製の階段室壁構築用の内型枠用の鋼板であって、予め受け具が取り付けられた所定高さの壁パネルを形成し、該壁パネルを組み、自立できる階段室壁の内型枠を構成し、前記受け具に足場板を架設して、該内型枠内に所定単位の階段部材を内装してユニット階段を構成し、
次ぎに、前記受け具から前記足場板を取り外して、前記ユニット階段をクレーンで吊り上げ、前記仮設架台上から階段構築予定位置に移送し、前記ユニット階段を順次載置積層して、上下のユニット階段を連結し、
続いて前記内型枠の外周に所定の構造鉄筋及び外型枠を構築して、両型枠内にコンクリートを打設して、前記受け具を埋め込んで、階段室壁を構築することを特徴とする階段の構築方法。
【請求項２】
コンクリート製の階段室壁構築用の内型枠用の鋼板であって、階段室壁の内型枠を構成し、かつ予め受け具が取り付けられた所定高さの壁パネルを形成し、前記受け具に足場板を架設して、階段設置予定位置で前記壁パネルを組み立てて、自立できる階段室壁の内型枠を構成し、前記内型枠内に所定単位の階段部材を内装してユニット階段を構成し、以下内型枠及び階段部材を順次載置積層して、続いて前記階段室内型枠の外周に所定の構造鉄筋及び外型枠を構築して、両型枠内にコンクリートを打設して、前記受け具を埋め込んで階段室壁を構築することを特徴とする階段の構築方法。
【請求項３】
壁パネルの内面に、予め階段部材を受けるブラケットを取付けてなり、該ブラケットの固定位置は、前記壁パネルの上下の連結位置以外の位置で、かつ前記階段部材の踏板及び踊り場が所定高さで配置されるように設定した請求項１又は２記載の階段の構築方法。
【請求項４】
構築予定の階段室の内面に沿った平面形状で、上下に開放した鋼板製で自立できる壁用内型枠を構成し、該壁用内型枠の下縁に連結用の接合リブを形成すると共に、前記壁用内型枠の内側に所定単位の階段部材を固定してなり、
前記壁パネルの内面に、予め階段部材を受けるブラケットを取付けてなり、該ブラケットの固定位置は、前記壁パネルの上下の連結位置以外の位置で、かつ設置予定の前記階段部材の踏板及び踊り場が所定高さで配置されるように設定し、
更に、前記壁パネルは外面に、足場を架設でき、かつ階段室壁内に埋設可能な受け具を取り付けしたことを特徴とするユニット階段。
【発明の詳細な説明】
【０００１】
【発明の属する技術分野】
この発明は、階段室を有する階段の構築方法及びこの構築方法に使用するユニット階段に関する。
【０００２】
【従来の技術】
従来、コンクリート系の壁で囲まれた階段室を伴う階段の構築では、踏段及び必要な踊り場をささら桁で挟んでなる鉄骨階段を、躯体に固定した後、階段室用の内型枠、外型枠及び鉄筋類を構築して、両型枠内にコンクリートを打設して階段を構築した後に両型枠を取り外していた。
【０００３】
また、予め、壁用の内型枠（捨て型枠）を固定してなる鉄骨階段を、躯体に固定する方法も試みられている。
【０００４】
【発明が解決しようとする課題】
前記従来の技術の内、前者の場合には型枠の設置、取り外し作業が煩雑となる問題点があった。
【０００５】
また、鉄骨階段を躯体に固定する場合には、躯体の構築に合わせて、所定階ごとに階段を構築する必要があり、躯体と分離し、又は躯体に先行して階段を構築する場合には特別の治具などを必要としていた。
【０００６】
【課題を解決するための手段】
然るにこの発明は、自立できる壁用内型枠を使用したので、前記問題点を解決した。
【０００７】
即ちこの発明は、仮設架台上で、コンクリート製の階段室壁構築用の内型枠用の鋼板であって、予め受け具が取り付けられた所定高さの壁パネルを形成し、該壁パネルを組み、自立できる階段室壁の内型枠を構成し、前記受け具に足場板を架設して、該内型枠内に所定単位の階段部材を内装してユニット階段を構成し、次ぎに、前記受け具から前記足場板を取り外して、前記ユニット階段をクレーンで吊り上げ、前記仮設架台上から階段構築予定位置に移送し、前記ユニット階段を順次載置積層して、上下のユニット階段を連結し、続いて前記内型枠の外周に所定の構造鉄筋及び外型枠を構築して、両型枠内にコンクリートを打設して、前記受け具を埋め込んで、階段室壁を構築することを特徴とする階段の構築方法である。
【０００８】
また、コンクリート製の階段室壁構築用の内型枠用の鋼板であって、階段室壁の内型枠を構成し、かつ予め受け具が取り付けられた所定高さの壁パネルを形成し、前記受け具に足場板を架設して、階段設置予定位置で前記壁パネルを組み立てて、自立できる階段室壁の内型枠を構成し、前記内型枠内に所定単位の階段部材を内装してユニット階段を構成し、以下内型枠及び階段部材を順次載置積層して、続いて前記階段室内型枠の外周に所定の構造鉄筋及び外型枠を構築して、両型枠内にコンクリートを打設して、前記受け具を埋め込んで階段室壁を構築することを特徴とする階段の構築方法である。
【０００９】
また、前記において、壁パネルの内面に、予め階段部材を受けるブラケットを取付けてなり、該ブラケットの固定位置は、前記壁パネルの上下の連結位置以外の位置で、かつ前記階段部材の踏板及び踊り場が所定高さで配置されるように設定した階段の構築方法である。
【００１０】
更に、構築予定の階段室の内面に沿った平面形状で、上下に開放した鋼板製で自立できる壁用内型枠を構成し、該壁用内型枠の下縁に連結用の接合リブを形成すると共に、前記壁用内型枠の内側に所定単位の階段部材を固定してなり、
前記壁パネルの内面に、予め階段部材を受けるブラケットを取付けてなり、該ブラケットの固定位置は、前記壁パネルの上下の連結位置以外の位置で、かつ設置予定の前記階段部材の踏板及び踊り場が所定高さで配置されるように設定し、更に、前記壁パネルは外面に、足場を架設でき、かつ階段室壁内に埋設可能な受け具を取り付けしたことを特徴とするユニット階段である。
【００１１】
前記における階段部材は、通常は鉄骨階段であり、所定段数の踏板（鋼板又はセメント系）を、鋼板製のささら桁で挟んで構成する。
【００１２】
前記における所定単位の階段部材とは、踊り場に連結できる所定段数の踏板部材と必要な踊り場から一単位の階段部材を構成し、一単位又は複数単位から構成される階段部材を指す。
【００１３】
前記における自立できる階段室壁用の型枠とは、階段室壁として壁パネルを組んだ状態で、壁パネル及び階段部材の荷重を支える特別な手段を必要とせず、階段室の転倒防止用の支えのみで、自立できる構造を指す。例えば、階段室の面積にもよるが、厚さ４．５〜９．０mm程度の鋼板を使用し、必要ならばリブ等の補強材を施して壁パネルを構成する。
【００１４】
【実施の態様】
コンクリート製の階段室壁構築用の内型枠用の鋼板であって、階段室壁の内型枠を構成する所定高さの壁パネルを形成する。構築現場内の所定位置で、壁パネルを組み立てて、自立できる階段室壁の内型枠を構成し、内型枠内に、内型枠に対応した所定単位の階段部材を内装してユニット階段を構成する。ユニット階段を階段構築位置に順次載置積層して、ユニット階段を相互に連結する。続いて内型枠の外周に所定の構造鉄筋及び外型枠を構築して、両型枠内にコンクリートを打設する。コンクリートの固化発現後に不要な仮設物を取り外して、階段を内装した階段室壁を構築する。
【００１５】
この壁パネルは、従来の技術で構築される型枠に比べ、コンクリートの側圧に耐える強度を大きくすることができる為、階高が高くて、壁厚が厚い放射能関連施設用の階段室の構築において特に有効である。また、各階の階高が一定でない特殊施設などでも有効である。
【００１６】
【作用】
内型枠内に階段部材を内装してユニット階段を構成するので、ユニット階段の積層連結により、階段室の内型枠と階段の構築が同時にできる。また、階段部材を階段室壁の内型枠に固定したので、躯体と階段との固定作業を省略できる。また、階段室壁の内型枠は、自立できるので、躯体の構築に先行して、任意に階段付きの階段室を構築できる。
【００１７】
壁パネルに予めブラケットを取付ければ、内型枠と階段部材の位置決め、連結作業を簡略化する。また、足場板の受け具を取付けた壁パネルを使用すれば、受け具に足場を架設してユニット階段の積層連結作業を安全に実施することができる。
【００１８】
【実施例１】
図面に基づきこの発明の実施例を説明する。
【００１９】
［階段室壁用の内型枠の構成］
この発明の実施に使用する階段室壁用の内型枠２０は、複数枚の壁パネル１、１から構成する。壁パネル１を構築予定の階段室の平面形状に合わせて配置して連結して、上下に開放した角筒状の一単位を構成する。連結した前記一単位の単独又は所定段宛て上下に積み重ねて、内型枠２０を構成する（図２、３、４）。
【００２０】
この発明の実施例に使用する壁パネル１は、鋼板製であり、四周縁に補強及び連結用の接合リブ４、４を全長に亘り形成してある。また、壁パネル１の一面（外面）２に、横方向に所定間隔（４５０mm程度）で横リブ５、５が全長に亘り並列して形成され、かつ縦方向に、前記横リブ５、５間に所定間隔（４５０mm程度）で、縦リブ６、６が形成され、縦横のリブ５、６により格子状のリブとなっている（図３）。また、横リブ５には、長さ方向に並列して透孔７、７が穿設されている。また、内型枠２０は、上下に接合リブ４を有する壁パネル１、１から構成されるので、内型枠２０の上下には、上下の内型枠２０、２０を接合する接合リブ４、４が必ず形成される。
【００２１】
また、鉄骨階段（階段部材）の支持位置に配置される壁パネル１の他面（内面）３には、鉄骨階段を固定する為のブラケット９、９が固定されている。ブラケット９の取付け位置周囲の壁パネル１の両面２、３に、補強板１０、１０が固着されている（図５（ａ）（ｂ））。
【００２２】
前記におけるブラケット９、９の固定位置は、ブラケット９が壁パネル１の上下端（上下の壁パネル１、１の連結位置）に位置しないように、かつ鉄骨階段の踏板及び踊り場が所定高さで配置されるような位置となっている。また、そのような位置となるように壁パネル１の高さ及び鉄骨階段の構造が決められている。
【００２３】
また、作業足場架設位置に配置される壁パネル１の一面２に、足場の受け具１６が取付けられている（図２、図４）。前記受け具１６は、壁パネル１の横リブ５に固定した受け板１７に、水平材１１の基端部１２をボルト・ナットで取付け、該水平材１１の先端部１２ａに固定した補強斜材１３の下端部１４を下方の横リブ５に固定し、前記水平材１１の先端部１２ａに手摺用の柱材１５を固定して、構成されている。前記柱材１５の上端部には手摺（又はロープ）取付け用の透孔１８が穿設されている。また、水平材１１を取付けた受け板１７は、壁パネル１の一面２に固定したアングル材１７ａと横リブ５とに挟持して固着して取付けられている（図６（ａ）（ｂ））。
【００２４】
また、ここで、内型枠２０の対向する二面に夫々受け具１６、１６を取付けたが（図７（ａ）、図２）、三面に受け具１６、１６を取付けることもできる（図７（ｂ））。また、受け具１６は一面あるいは四面に取付け、あるいは受け具１６を省略することもできる（図示していない）。
【００２５】
また、階段室内に梁３６が突出する階段室を構築する場合には（図８（ａ））、突出する梁に沿った切り込み部３７を有する形状の壁パネル１を配置した内型枠３８を使用する（図８（ｂ））。また、階段室内に柱３９、３９が突出する場合には（図９（ａ））、突出する柱部分に沿った切り込み部４０、４０を有する形状とした壁パネル１、１からなる内型枠４１を使用する（図９（ｂ））。また、階段室に出入り口など開口４２がある部分には（図１０（ａ））、応じて、開口４２を穿設した壁パネル１からなる内型枠４３を使用する（図１０（ｂ））。その他、構築予定の階段室の形状に合わせた構造の内型枠とする。これらの場合には、形成予定の内型枠３８、４１、４３に応じて、予め壁パネル１を加工しておく。
【００２６】
［階段部材の構成］
また、この発明の実施に使用する鉄骨階段（階段部材）２２は、所定段数の踏板２３、２３の上下に踊り場片２４ａ、２４ａを並列し、両側をささら桁２５、２５で固定して構成する（図２）。前記鉄骨階段２２、２２を前記内型枠１内に構築した際に、隣接する鉄骨階段２２、２２の隣接する踊り場片２４ａ、２４ａから踊り場２４を構成する（図２）。
【００２７】
鉄骨階段２２の構成は前記例に限らず、ささら桁を有する踊り場２４、２４と、踏板２３、２３をささら桁２５、２５で固定した踏段部２６、２６とに分割された構成とすることもできる（図１１）。その他、通常使用される各種構造の鉄骨階段とすることもできる（図示していない）。
【００２８】
［階段の構築］
(1) 組み立て位置で、型鋼を組み、高さＨ（１ｍ程度）の仮設架台２８を構築する（図１（ａ））。高さＨは、少なくとも鉄骨階段２２の下方突出部２２ａの長さＨ1 （図１（ｄ））よりも長くする。
【００２９】
(2) 前記仮設架台２８上に、構築予定の階段室に対応した構成の壁パネル１、１を組み、所定高さの階段室壁の内型枠２０を構築する。前記壁パネル１、１は、リブ４、５が外側に（ブラケット９が内側）に位置するように形成される（図１（ｂ））。また、この際、受け具１６、１６に足場板１９、１９を架設して作業をすることができ（図６、図７（ａ））、周囲の足場用の仮設物を大幅に削減できる。
【００３０】
(3) 前記内型枠２０内に、上方から、鉄骨階段２２、２２を入れ（図１（ｂ））、鉄骨階段２２のささら桁２５をブラケット９に固定して、ユニット階段３０を構成する（図１（ｃ））。
【００３１】
(4) 受け具１６、１６から足場板１９、１９を取り外し、ユニット階段３０をクレーンで吊り上げ、仮設架台２８上から、所定の階段構築位置に移送する（図１（ｄ））。この際、ユニット階段３０では内型枠の下方から鉄骨階段の下端部２２ａが突出しているので、必要ならば、壁パネル１に仮吊り受け材３３を設け、下端部２２ａとを仮吊り材３２、３２で連結する。
【００３２】
(5) ユニット階段３０は、仮吊り材等３２、３３を外して、所定階段構築位置に設置された既設のユニット階段３０ａ上に載置する（図１（ｄ））。下方の既設のユニット階段３０ａの内型枠２０ａと、新たに積んだユニット階段３０の内型枠２０とを連結し、下端部２２ａのささら桁２５を既設のユニット階段３０ａのブラケット９に固定する（図１（ｅ）、図２、図５）。
【００３３】
(6) 以上のように所定のユニット階段３０、３０ａを積層し、積層したユニット階段３０は自立するので、躯体の構築に先行して、階段室壁の内型枠で囲まれた鉄骨階段２２、２２を構築できるので、鉄骨階段２２、２２を器材を運搬する通路に使用できる。
【００３４】
(7) 階段室壁を構築する際には、従来と同様に、内型枠２０の外側に壁用鉄筋（図示していない）を配置し、セパレータ４４の羽子板４４ａを横リブ５の透孔７（又は接合リブ４の接合に使用しなかった透孔）にボルト・ナットで固定し、セパレータ４４の他端４４ｂに、合板などで外型枠４５を組み立て、フォームタイ４６、丸パイプ４７、４７、リブ座金４８で締め付ける。型枠２０、４５内にコンクリートを打設し、コンクリートが固化発現後に外型枠４５等を取り外して、階段室壁４９を構築する（図１２（ｂ））。
【００３５】
ここで、受け具１６は階段室壁の壁内に埋設するが、支障があれば取り外すこともできる。
【００３６】
［他の実施例］
前記実施例において、鉄骨階段２２及び壁パネル１に、更にその他の使用部材にも、予め溶融亜鉛メッキ等の表面処理を施せば、階段の構築後の塗装やクロス貼りなどの仕上げ材を施す手間を省くことができると共に、錆を防止するので、メンテナンスを不要にできる。
【００３７】
また、前記実施例において、内型枠２０の下方に鉄骨階段２２の下端部２２ａが突出するユニット階段３０では突出部分を保護し、また作業効率の観点から仮設架台２８を使用するが、下方への突出部分がないユニット階段であって、所定水平が保てる組み立て位置が現場内で確保できれば、仮設架台２８は不要である。また、下方への突出部がない場合には、仮吊り材３２、仮吊り受け材３３も不要である。
【００３８】
また、前記実施例において、能力の高いクレーンがない場合には、階段構築位置で壁パネル１、１を組み立て、内型枠２０を構築し、鉄骨階段２２、２２を取付けてユニット階段３０を構築する。従って、この場合には、既設のユニット階段３０ａとの連結作業とユニット階段３０の構築作業とが同時に行なわれることになる（図示していない）。
【００３９】
【発明の効果】
内型枠内に階段部材を内装してユニット階段を構成するので、ユニット階段の積層連結により、階段室の内型枠と階段の構築が同時にでき、また、自立できる内型枠を使用するので、躯体の構築とは関係なくあるいは躯体の構築に先行して、階段室付きの階段を構築でき、建造物全体の施工効率を高めることができる効果がある。また、躯体に先行してユニット階段を積層できるので、この階段を器材の搬送等の通路に使用でき、また内型枠は自立できるので、ユニット階段支持の為の仮設物などの障害物が存在せず作業の安全性も高めることができる効果がある。
【００４０】
また、階段室壁の内型枠を構成する所定高さの壁パネルを使用し、自立できる階段室壁の内型枠とし、所定単位の階段部材を内装して、ユニット階段を構築し、また階段部材を階段室壁の内型枠に固定するので、躯体の構築に関係なく多層の階段および階段室の先行構築が可能となる効果がある。また、階段部材を階段室壁の内型枠に固定するので、躯体の階高と関係なく階段を先行できると共に、躯体と階段との固定作業を省略できるので更に作業効率を高め、また、ユニット階段は内型枠から上下に突出し、又は引き込んだ階段部材を内装した構造とすることもでき、階段と躯体とを分離して構造物の自由な設計を可能とする効果がある。
【００４１】
また、壁パネルに予めブラケットを取付けた場合には、内型枠と階段部材の位置決め、連結作業を簡略化し、ユニット階段の構築作業およびユニット階段相互の連結作業を効率化できる効果がある。
【００４２】
また、足場板の受け具を取付けた壁パネルを使用した場合には、受け具に足場を架設して作業をすることができ、仮設物の構築と撤去作業を削減して、更に作業の効率化を図ることができる効果がある。
【図面の簡単な説明】
【図１】（ａ）乃至（ｅ）は、この発明の施工方法を説明する概略した斜視図である。たただし、足場の受け具を省略してある。
【図２】この発明の実施例のユニット階段の平面図である。
【図３】同じくユニット階段の正面図である。
【図４】図２のＡ−Ａ線における断面図である。
【図５】この発明の壁用内型枠で、階段部材を固定するブラケットを表す図で、（ａ）は一部拡大平面図、（ｂ）は（ａ）のＢ−Ｂ線における断面図、（ｃ）は（ａ）のＣ−Ｃ線における断面図である。
【図６】この発明のユニット階段で、作業足場板の支持部材を表した図で、（ａ）は一部拡大正面図、（ｂ）は一部拡大平面図である。
【図７】この発明のユニット階段で、（ａ）（ｂ）は作業足場板の支持部材の異なる実施例を表す。
【図８】（ａ）は階段室の概略した平面図で、（ｂ）はユニット階段の壁用の内型枠の概略した斜視図である。
【図９】（ａ）は階段室の概略した他の平面図で、（ｂ）は他のユニット階段の壁用の内型枠の概略した斜視図である。
【図１０】（ａ）は階段室の概略した他の平面図で、（ｂ）は他のユニット階段の壁用の内型枠の概略した斜視図である。
【図１１】他の階段部材の構成を示す概略した斜視図である。
【図１２】外型枠の構築を表す図で、（ａ）はユニット階段の一部横断面図、（ｂ）は（ａ）のＤ−Ｄ線における断面図である。
【符号の説明】
１ 壁パネル
２ 壁パネルの一面（外側）
３ 壁パネルの他面（内側）
４ 壁パネルの接合リブ
９ ブラケット
１６ 受け具（足場用）
２０、２０ａ 内型枠
２２ 鉄骨階段（階段部材）
２８  仮設架台
３０、３０ａ ユニット階段
３８ 内型枠
４１ 内型枠
４３ 内型枠
４５ 外型枠
【図１】
0003944870.tif 000002
【図２】
0003944870.tif 000003
【図３】
0003944870.tif 000004
【図４】
0003944870.tif 000005
【図５】
0003944870.tif 000006
【図６】
0003944870.tif 000007
【図７】
0003944870.tif 000008
【図８】
0003944870.tif 000009
【図９】
0003944870.tif 000010
【図１０】
0003944870.tif 000011
【図１１】
0003944870.tif 000012
【図１２】
0003944870.tif 000013